(57)【要約】【課題】低パワー用のハンドピースと高パワー用のハンドピースを準備しておき、ハンドピースをインスツルメントホースに接続した時に、自動的に低パワー用のハンドピースであるか高パワー用のハンドピースであるかを判別し、接続されたハンドピースに対応した駆動電力を当該ハンドピースに供給するようにし、もって、チップの破損等をなくし、安全性の高い超音波スケーラを提供する。【解決手段】コントロールボックス１０と、該コントロールボックス１０に連結されるインスツルメントホース１４と、該インスツルメントホース１４に着脱自在に連結される複数種の超音波ハンドピース１３から成る。各超音波ハンドピース１３は、自己の出力パワーを特定する出力パワー特定手段を有し、インスツルメントホース１４に接続された時に、前記コントロールボックス１０内において、出力パワー特定手段によって特定された出力をハンドピース１３に供給する。【選択図】        図３
2005006722.tif 000002
【特許請求の範囲】
【請求項１】
コントロールボックスと、該コントロールボックスに連結されるインスツルメントホースと、該インスツルメントホースに着脱自在に連結される複数種の超音波ハンドピースから成り、前記各超音波ハンドピースは、自己の出力パワーを特定する出力パワー特定手段を有し、該超音波ハンドピースが前記インスツルメントホースに連結された時に、前記コントロールボックス内において、前記出力パワー特定手段によって特定された出力を発生し、前記インスツルメントホースを通して前記ハンドピースに供給するようにしたことを特徴とする歯科用超音波スケーラ。
【請求項２】
前記各ハンドピースは、該ハンドピースを駆動するハンドピース駆動用電源端子と当該ハンドピースを認識するハンドピース認識用端子とを有し、該ハンドピースが前記インスツルメントホースに連結された時に、前記ハンドピース認識用端子間が短絡されているか又は開放されているかによって、前記コントロールボックス内において、前記出力パワー特定手段によって特定した出力パワーを発生することを特徴とする請求項１に記載の歯科用超音波スケーラ。
【請求項３】
前記各ハンドピースは、該ハンドピースを駆動するハンドピース駆動用電源端子と当該ハンドピースを認識するハンドピース認識用端子とを有し、該ハンドピースが前記インスツルメントホースに連結された時に、前記ハンドピース認識用端子間に接続されている抵抗値の違いによって、前記コントロールボックス内において、前記出力パワー特定手段によって特定した出力パワーを発生することを特徴とする請求項１に記載の歯科用超音波スケーラ。
【発明の詳細な説明】
【０００１】
【発明の属する技術分野】
本発明は、歯科用超音波スケーラ、より詳細には、低パワー用の超音波スケーラと高パワー用の超音波スケーラを間違えることなく、具体的には、低パワー用の超音波ハンドピースをインスツルメントホースに接続した時には自動的に低パワーの駆動電力が供給され、高パワー用の超音波ハンドピースを接続した時には自動的に高パワーの駆動電力が供給されるようにして、超音波スケーラ使用の安全性を向上させたものである。
【０００２】
【従来の技術】
歯科治療においては、スケーリング，ルートプレーニング，根管治療，補綴物除去等に超音波スケーラを用いる。その場合、ルートプレーニング，根管治療は、一般的には、低パワーで行うが、使用者（術者）がパワー設定を高パワーにしたままで使った場合、チップが折れたり、患者に大きな負担をかけたりしてしまう。
【０００３】
図３は、本発明が適用される歯科用超音波スケーラの一例を説明するための要部全体構成図で、図中、１０はコントローラ本体、１１はフットコントローラ、１２は薬ボトル、１３は超音波ハンドピース、１４はインスツルメントホース、１５は該ハンドピース１３の先端部に着脱自在に装着されるチップで、該チップとしては、例えば、図４に示すように、スケーリング用チップ（図４（Ａ））、ルートプレーニング用チップ（図４（Ｂ））、根管治療用チップ（図４（Ｃ））、補綴物除去用チップ（図４（Ｄ））等がある。これら図４に示したチップは、図３に示した超音波ハンドピース１３に脱着自在に装着されて使用される。
【０００４】
上述のように、歯科治療においては、単一のハンドピースに対して多種の、例えば、図４に示したように、スケーリング用、ルートプレーニング用、根管治療用、補綴物除去用等の各種チップを付け換えて使用しているが、その際、コントローラ１０のパネルを操作して、ルートプレーニング、根管治療を行う場合は、一般的には、低パワーモードにして行なうが、使用者がパワー設定を高パワーモードのままにして使った場合、チップが折れたり、患者に大きな負担をかけたりしてしまう。
【０００５】
【特許文献１】
特開平１０−６１６４２号公報
【０００６】
【発明が解決しようとする課題】
本発明は、上述のごとき実情に鑑みてなされたもので、低パワー用のハンドピースと高パワー用のハンドピースを準備しておき、ハンドピースをインスツルメントホースに接続した時に、自動的に低パワー用のハンドピースであるか高パワー用のハンドピースであるかを判別し、低パワー用のハンドピースである時は低パワーモードの駆動力を当該ハンドピースに供給し、高パワー用のハンドピースである時は、高パワーモードの駆動力を当該ハンドピースに供給するようにし、もって、チップの破損等をなくし、安全性の高い超音波スケーラを提供することを目的としてなされたものである。
【０００７】
【課題を解決するための手段】
請求項１の発明は、コントロールボックスと、該コントロールボックスに連結されるインスツルメントホースと、該インスツルメントホースに着脱自在に連結される複数種の超音波ハンドピースから成り、前記各超音波ハンドピースは、自己の出力パワーを特定する出力パワー特定手段を有し、該超音波ハンドピースが前記インスツルメントホースに連結された時に、前記コントロールボックス内において、前記出力パワー特定手段によって特定された出力を発生し、前記インスツルメントホースを通して前記ハンドピースに供給するようにしたことを特徴としたものである。
【０００８】
請求項２の発明は、請求項１の発明において、前記各ハンドピースは、該ハンドピースを駆動するハンドピース駆動用電源端子と当該ハンドピースを認識するハンドピース認識用端子とを有し、該ハンドピースが前記インスツルメントホースに連結された時に、前記ハンドピース認識用端子間が短絡されているか又は開放されているかによって、前記コントロールボックス内において、前記出力パワー特定手段によって特定した出力パワーを発生することを特徴としたものである。
【０００９】
請求項３の発明は、請求項１の発明において、前記各ハンドピースは、該ハンドピースを駆動するハンドピース駆動用電源端子と当該ハンドピースを認識するハンドピース認識用端子とを有し、該ハンドピースが前記インスツルメントホースに連結された時に、前記ハンドピース認識用端子間に接続されている抵抗値の違いによって、前記コントロールボックス内において、前記出力パワー特定手段によって特定した出力パワーを発生することを特徴としたものである。
【００１０】
【発明の実施の形態】
本発明は、低パワー用のハンドピースと高パワー用のハンドピースを別々に用意し、低パワー用のハンドピースには低パワー用のチップ、例えば、ルートプレーニング用のチップ、根管治療用のチップのみ交換可能に装着可能にし、高パワー用のハンドピースには高パワー用のチップ、例えば、スケーリング用チップ、補綴物除去用チップのみ交換可能に装着可能にしている。そして、以下に説明するように、ハンドピースをホースに接続したときに、接続したハンドピースが低パワー用のハンドピースの時は低パワーモードの出力に、高パワー用のハンドピースの時は高パワーモードの出力になるようにしたものである。
【００１１】
図１は、本発明の一実施例を説明するための要部概念図で、Ｉは高パワー用ハンドピース（スケーリング用，補綴物除去用ハンドピース１３に相当）のインスツルメントホースとの接続部端子（ピン）構成図、ＩＩは低パワー用ハンドピース（ルートプレーニング用，根管治療ハンドピース１３に相当）のインスツルメントホースとの接続部端子（ピン）構成図、ＩＩＩはインスツルメントホース１４のハンドピース端部との接続端子（ピン）構成図で、インスツルメントホース１４内には、ハンドピース駆動用の電源線１４ａとハンドピース認識用の信号線１４ｂとが配設されており、該インスツルメントホースＩＩＩは、高パワー用のハンドピースＩとも低パワー用のハンドピースＩＩとも連結可能となっている。
【００１２】
而して、本発明においては、高パワー用ハンドピースＩにおいては、ハンドピース認識用端子（ピン）１３ｂ間は短絡（１３ｃ）されており（図１（Ａ））、低パワー用ハンドピースＩＩにおいてはハンドピース認識用端子（ピン）１３ｂ間は開放されている（図１（Ｂ））。従って、コントローラ１０は、インスツルメントホースＩＩＩ（図１（Ｃ））に高パワー用のハンドピースＩ（図１（Ａ））が連結された時は、ハンドピース認識用信号線（１３ｂ）に短絡抵抗１３ｃを通して電流が流れるので、この電流を検知することによって、高パワー用のハンドピースが接続されたことを認識し、該コントローラ１０内の駆動用電源（図示せず）を高パワーモードに切り換える。ハンドピース認識用リード線に電流が流れない時は（図１（Ｂ））、駆動用電源を低パワーモードにする。基本的には、ハンドピース認識用端子間１３ｂが開放されている時（図１（Ｂ））に低パワーモードにしておくと、断線、接触不良時において、低パワー駆動されるので、より安全である。
【００１３】
なお、以上には、高パワー用ハンドピースＩが接続された時には、ハンドピース認識用端子１３ｂ間を短絡し（ハンドピース認識用端子間の抵抗値を略０にし）、低パワー用ハンドピースＩＩが接続された時は、ハンドピース認識用端子１３ｂ間に電流が流れないようにする（ハンドピース認識用端子間の抵抗を略無限大にする）実施例について説明したが、本発明は、上記実施例に限定されるものではなく、例えば、図２に示すように、ハンドピース側のハンドピース認識用端子間に異なる値の抵抗を接続しておき、その抵抗値をコントローラ１０側で検知し、その抵抗値に対応したパワーを供給するようにしてもよい。
【００１４】
図２は、上述のごときハンドピース認識用端子間に異なる値の抵抗値を接続した時の実施例を説明するための要部構成図で、例えば、ハンドピースＩのハンドピース認識用端子１３ｂ間には５ｋΩの抵抗１３ｄ１を接続しておき、ハンドピースＩＩのハンドピース認識用端子１３ｂ間には１ｋΩの抵抗を接続しておけば、ハンドピースＩがインスツルメントホースＩＩＩに連結された時は、コントローラ１０がこの抵抗値５ｋΩ（４〜６ｋΩ）を検出し、高パワー（通常）を供給し、ハンドピースＩＩがインスツルメントホースＩＩＩに連結された時は、コントローラ１０はこの抵抗値１ｋΩ（０〜３ｋΩ）を検出し、低パワーを供給する。
【００１５】
【発明の効果】
以上の説明から明らかなように、本発明によると、術者が使用するハンドピースによって、該ハンドピースを駆動するパワーが自動的に設定されるようにしたので、術者の出力パワー設定ミスによって、当該ハンドピースを駆動するようなことがないので、チップが折れたり、患者に負担をかけたりすることがなく、安全に、歯科治療を行うことができる。
【図面の簡単な説明】
【図１】本発明による歯科用超音波スケーラの一実施例を説明するための要部概念図である。
【図２】本発明による歯科用超音波スケーラの他の実施例を説明するための要部概念図である。
【図３】本発明が適用される歯科用超音波スケーラの一例を説明するための要部概略構成図である。
【図４】超音波スケーラに交換可能に取り付けられるチップの例を示す図である。
【符号の説明】
１０…コントローラ本体、１１…フットコントローラ、１２…薬液ボトル、１３…超音波ハンドピース、１４…インスツルメントホース、１５…チップ、Ｉ…高パワー用ハンドピース、ＩＩ…低パワー用ハンドピース、ＩＩＩ…インスツルメントホース、１３ａ，１４ａ…駆動用電源端子、１３ｂ…ハンドピース認識用端子、１３ｃ…短絡線、１３ｄ１，１３ｄ２…抵抗。
【図１】
2005006722.tif 000003
【図２】
2005006722.tif 000004
【図３】
2005006722.tif 000005
【図４】
2005006722.tif 000006